(57)【要約】【課題】  ＰＳ版の取り扱いにおいて、ＰＳ版が感光することのない安全環境であるか否かを容易に識別することができる、着色物を提供する。【解決手段】  露光回避光源の光源下においては色差が第１閾値以下となり、白色灯または太陽光のいずれかまたは両方の光源下においては色差が第２の閾値以上となる２つの色を隣り合わせで着色する。【選択図】    図１
2005289487.tif 000002
【特許請求の範囲】
【請求項１】
露光回避光源の光源下においては色差が第１閾値以下となり、
白色灯または太陽光のいずれかまたは両方の光源下においては色差が第２の閾値以上となる
２つの色が隣り合わせで着色された露光回避光源を識別する着色物。
【請求項２】
露光回避光源の光源下においては色差が第１閾値以下となり、
白色灯または太陽光のいずれかまたは両方の光源下においては色差が第２の閾値以上となる
２つの色が隣り合わせで着色された、印刷版を運搬する印刷版運搬パレット。
【請求項３】
露光回避光源の光源下においては色差が第１閾値以下となり、
白色灯または太陽光のいずれかまたは両方の光源下においては色差が第２の閾値以上となる
２つの色が隣り合わせで着色された包装紙。
【請求項４】
露光回避光源の光源下においては色差が第１閾値以下となり、
白色灯または太陽光のいずれかまたは両方の光源下においては色差が第２の閾値以上となる
２つの色が隣り合わせで着色された梱包箱。
【請求項５】
露光回避光源の光源下においては色差が第１閾値以下となり、
白色灯または太陽光のいずれかまたは両方の光源下においては色差が第２の閾値以上となる
２つの色が隣り合わせで着色された壁紙。
【請求項６】
露光回避光源の光源下においては色差が第１閾値以下となり、
白色灯または太陽光のいずれかまたは両方の光源下においては色差が第２の閾値以上となる
２つの色が隣り合わせで着色されたリストバンド。
【発明の詳細な説明】
【技術分野】
【０００１】
本発明は、黄色セーフライトなどの露光回避光源が利用された作業環境において、白色光の混入がないか否かを判定する着色物、印刷版運搬パレット、包装紙、梱包箱、壁紙、リストバンドに関する。
【背景技術】
【０００２】
感光性のあるＰＳ（Ｐｒｅ−Ｓｅｎｓｉｔｉｚｅｄ）版（平版オフセット印刷用の印刷版）などを取扱う作業現場においては、該ＰＳ版の不必要な感光を防ぐ為に、黄色セーフライトなどと呼ばれる露光回避光源を用いている（例えば、特許文献１、２参照）。ここでＰＳ版とは平版オフセット印刷用の版であり、基材に感光性の材料が塗布されたものである。ＰＳ版は銀塩ほどの超高感度ではないので、黄色セーフライト下であっても１０分程度であれば品質に変化をきたすことはない。
【特許文献１】特開２００２−３４１５４７号公報
【特許文献２】特開２００３−００５３５０号公報
【発明の開示】
【発明が解決しようとする課題】
【０００３】
ＰＳ版は、ＰＳ版製造工場において包装されたり、また該ＰＳ版製造工場から印刷工場などに運搬されたりするので、多くの光源下で取扱われることとなる。この時、ＰＳ版の確認や詰め替え作業などが発生した場合には、包装が開封される場合がある。しかしながら、ＰＳ版は黄色セーフライト下でなくてはすぐに感光してしまうので、取扱者は、ＰＳ版の取扱いを行なう環境が安全かどうか、また太陽光や白色光などが混入していないかを識別しなければならないという問題がある。
【０００４】
そこでこの発明は、ＰＳ版の取り扱いにおいて、ＰＳ版が感光することのない安全環境であるか否かを容易に識別することができる、露光回避光源を識別する着色物、印刷版運搬パレット、包装紙、梱包箱、壁紙、リストバンドを提供することを目的としている。
【課題を解決するための手段】
【０００５】
本発明は、上述の課題を解決すべくなされたもので、露光回避光源の光源下においては色差が第１閾値以下となり、白色灯または太陽光のいずれかまたは両方の光源下においては色差が第２の閾値以上となる２つの色が隣り合わせで着色された露光回避光源を識別する着色物である。
【０００６】
また本発明は、  露光回避光源の光源下においては色差が第１閾値以下となり、白色灯または太陽光のいずれかまたは両方の光源下においては色差が第２の閾値以上となる２つの色が隣り合わせで着色された、印刷版を運搬する印刷版運搬パレットである。
【０００７】
露光回避光源の光源下においては色差が第１閾値以下となり、白色灯または太陽光のいずれかまたは両方の光源下においては色差が第２の閾値以上となる２つの色が隣り合わせで着色された包装紙である。
【０００８】
また本発明は、  露光回避光源の光源下においては色差が第１閾値以下となり、白色灯または太陽光のいずれかまたは両方の光源下においては色差が第２の閾値以上となる２つの色が隣り合わせで着色された梱包箱である。
【０００９】
また本発明は、  露光回避光源の光源下においては色差が第１閾値以下となり、白色灯または太陽光のいずれかまたは両方の光源下においては色差が第２の閾値以上となる２つの色が隣り合わせで着色された壁紙である。
【００１０】
また本発明は、  露光回避光源の光源下においては色差が第１閾値以下となり、白色灯または太陽光のいずれかまたは両方の光源下においては色差が第２の閾値以上となる２つの色が隣り合わせで着色されたリストバンドである。
【発明の効果】
【００１１】
本発明によれば、黄色セーフライト（露光回避光源）の光源下では２つの色材のＬａｂ値の差が、第１の閾値以下であり、また白色灯の光源下では２つの色材のＬａｂ値の差が、第２の閾値以上となる２つの色材を、隣りあわせで着色物に着色する。これにより、ＰＳ版取扱者は、ＰＳ版の取り扱いにおいて、ＰＳ版が感光することのない安全環境であるか否かを容易に識別することができる。
【発明を実施するための最良の形態】
【００１２】
以下、本発明の一実施形態による印刷版運搬パレット、包装紙を図面を参照して説明する。図１は本実施形態のＰＳ版を包装した包装紙１（着色物）と、その包装紙１で包装されたＰＳ版を運搬する為のＰＳ版（印刷版）運搬パレット２（着色物）を示す図である。この図が示すように、ＰＳ版は、包装に包まれてＰＳ版運搬パレット２に載せられて、運搬される。なおＰＳ版運搬パレット２は、フォークリフトで運べるように、側面に横穴があいているプラスチックや木材や紙材等で作られた土台である。そして、ＰＳ版を包装するための包装紙１と、ＰＳ版運搬パレット２には、色材ａと色材ｂが隣り合わせで着色されている。色材ａと色材ｂは、黄色セーフライト（露光回避光源）の光源下においては、ほぼ同色に見え、また、通常の蛍光灯や、太陽光の下においては、はっきりと異なる色として見える２つの色である。なお、２つの色材による着色方法はしま模様等に限られない。また、地色とそれに表示する文字の色とを２つの色材で表してもよい。
【００１３】
次に、色ａと色ｂを特定する為の処理について説明する。なお、この色ａと色ｂの特定の処理は光源依存性評価装置のコンピュータで処理させることにより、特定する。
まず、光源依存性評価装置に、通常の白色灯と黄色セーフライトの２種類の光源の分光反射強度と、７００種類程度の色材の分光反射率情報を入力する。すると光源依存性評価装置は、白色灯と黄色セーフライトの２種類の光源の各分光放射強度と、入力を受け付けた色材の各分光反射率情報と、等色関数情報記とを用いて、ＸＹＺ値を算出する。なお等色関数情報とは、人間の目に対応する分光感度(色を見分ける３つの感覚)ｘ１（赤の波長域に関する感度）、ｙ１（緑の波長域に関する感度）、ｚ１（青の波長域に関する感度）それぞれについての割合（刺激）の変化を示す関数の情報である。なお、ＸＹＺ値の算出は公知の技術である。次に、光源依存性評価装置は、算出したＸＹＺ値からＬａｂ値を算出する。なお、ＸＹＺ値からＬａｂ値を算出するＬａｂ値算出手法も公知である。
【００１４】
そして、光源依存性評価装置は、指定された２種類の光源（黄色セーフライトと白色灯）と６５０種類の色材との組合せ毎に、算出されたＬａｂ値の表を作成し、その表に基づいて、黄色セーフライトの光源下では２つの色材のＬａｂ値の差（ΔＥ）が、第１の閾値以下であり、また白色灯の光源下では２つの色材のＬａｂ値の差が、第２の閾値以上となる２つの色材を特定する。そして、光源依存性評価装置が、特定した２つの色材を例えばモニタなどに出力する。そして、ＰＳ版運搬パレット２や、包装紙１を製造する製造者は、その２つの色材を隣り合わせで当該ＰＳ版運搬パレット２や包装紙１に着色する。なお、第１の閾値は、２つの色材ａ、ｂの色がほぼ同色の色に見える閾値である。また第２の閾値は、２つの色材ａ、ｂの色が全く違うと認識できる閾値である。
【００１５】
黄色セーフライト光源を例とすると、２つの色材の組み合わせによる識別性は、（イ）黄色セーフライト下では色差が小さく、すなわち近い色か同色に見えることが好ましく、（ロ）白色灯下では色差が大きい（違う色に見える）ことが好ましい。
このような組み合わせでパレット等の物品をしま模様に着色すると、そのしま模様がはっきりと見えればその環境では白色光が射し込んでいるなど、ＰＳ版等が感光するおそれがあることが容易にわかる。
一つの色を地色とし、もう一つの色で文字を印刷したラベルや包装紙等を用意すれば、その文字が明瞭に読み取れるならば前記例と同様にその環境ではＰＳ版等が感光するおそれがあることがわかる。
【００１６】
図２は前記の光源依存性評価装置により、ＤＩＣカラーガイド第１７版（大日本インキ化学工業株式会社製の色見本帳）の色見本の分光反射率情報をもとに、２つの色材の特定処理を行った例を示す図である。
黄色蛍光灯（黄色セーフライト）には松下電工株式会社製の品番ＦＬ２０Ｓ−Ｙ−Ｆを用いた。白色灯は通常の白色蛍光灯を用いた。
【００１７】
図２のデータによれば、第一の閾値である黄色セーフライトの光源下における２つの色材のＬａｂ値の差（ΔＥ）としては０．７以下が好ましく、より好ましくは０．６以下である。さらに好ましくは０．５以下である。また第二の閾値である白色灯光源下における２つの色材のＬａｂ値の差（ΔＥ）としては１０以上が好ましく、より好ましくは２０以上である。さらに好ましくは３０以上である。
【００１８】
図２の識別性の程度の評価は、人間の眼で観察して、前記の（イ）、（ロ）の条件を共に良好に満たすものを○とし、いずれかでやや不十分と感じられるものを△とする。色材１、２の番号はＤＩＣカラーガイドの番号である。
【００１９】
なお、図１においては、ＰＳ版を包装する包装紙１と、そのＰＳ版を運搬する為のＰＳ版運搬パレット２を示したが、この他に、例えば、上記光源依存性評価装置で特定された２つの色材の色を隣り合わせで着色された、梱包箱、壁紙、リストバンドでもよい。
【図面の簡単な説明】
【００２０】
【図１】ＰＳ版（印刷版）を包装した包装紙と、その包装紙で包装されたＰＳ版を運搬する為のＰＳ版運搬パレットを示す図である。
【図２】光源依存性評価装置により、ＤＩＣカラーガイド第１７版の色見本の分光反射率情報をもとに、２つの色材の特定処理を行った例を示す図である。
【符号の説明】
【００２１】
１・・・包装紙
２・・・ＰＳ版運搬パレット
ａ・・・色材１
ｂ・・・色材２
【図１】
2005289487.tif 000003
【図２】
2005289487.tif 000004